(57)【要約】      （修正有）【課題】立てても寝かせても使用でき、テントを広げると便器が一緒に備わり、弱者用の補助具が自動的にテントの内壁に具備でき、災害事の寒気対策、洪水時の筏機能の追求、排泄関連用品の同一梱包性を確保し、単位テントの同志の結合性、利便性などがある折りたたみ式で、コンパクトなテントを提供する。【解決手段】三枚のパネルを連結して折りたたみ、二枚で内角６０度のＶ状の壁を鎹状の突っ張り棒で固定、Ｖ形壁を広げると内蔵の自在便座が広がり、弱者用の補助具は、三角の隅の二本の縦桟が背もたれ、Ｖ型の両壁の両翼の横桟が立ちしゃがみの手摺となり、男子用・女子用の尿器も片翼に寄せて装備し、寒冷対策は接地面の横桟の間に発砲スチロールなどの保温板をはめ込み、洪水時は救命筏となるよう横桟の間に全面に発泡板を充填し、排泄用備品は特定の横桟の間に発泡板をくりぬいて装填し、連結棹や棟ジョイントなどの連結具を用いて結合する。【選択図】図３
2015010465.tif 000002
【特許請求の範囲】
【請求項１】
長方形の枠板の、短辺と長辺の交わる長辺の先端部、四隅に連結金具を突出させて設け、該、枠板を長辺を接して並べ、第一の接合を蝶番二個で連結し第二の接合をめがね自在蝶晩で連結し、裏面をテント地デ覆い、三枚の屏風状連結体を設け、蝶番部を内角略６０度に折上げて、両端を二本の、かすがい梁で固定し、二枚でＶ状の壁を形成し、残る一枚を開閉のトアーとして用い、三角形の筒状の個室を形成する、防災用折りたたみ万能三角テント。
【請求項２】
二つの個室を立てないし横並びに併設し、相互二つのドワーを旋回して固定するだけで、二つの個室の二倍の床面積や高さや容積を獲得が出来、叉ドアーの旋回能力と、突出すように設けた連結金具や、かすがい梁の機能により、多角的組み合わせが出来ることを特徴とする、請求項１の防災用折りたたみ万能三角形のテント。
【発明の詳細な説明】
【技術分野】
【０００１】本発明は、有事の際、避難テントのほか、縦に使って、緊急トイレとしても使用出来る三角形の折りたたみ可能な、縦横両用の防災用折りたたみ三角テントに関するものである。
【技術背景】
【０００２】従来の防災用テントではトイレ用は縦型であり、便器は単独の製品をテント内に置く形式の物であり、避難用のテントとしては横に広げて組立てる、要る別々の製品がニ種類供給されていた。
三角形の防災用テントとしては、震災時の落下物から身を守る、危険防止の対策用で、（特許文献１参照）がある。
【先行技術文献】
【特許文献】
【０００３】
【特許文献１】  特許公開平８−１９９８５６
【発明の概要】
【発明の解決しようとする課題】
【０００４】防災用テントの課題は、折りたたみ式構造にして、小型軽量コンパクトで、備蓄の場所が小さく、叉現場での組立て作業が簡単で、且つ多機能的で応用性があり、そして普及促進のためには極力低価格であることが求められている。
（イ）災害地の現場の状況により、このテントを立てにして使ったり、また同一のテントを横置きにして使用する、縦横両用のものにすべきである。
（ロ）テントの組み立て完了と同時に便器までが完備されることが重要である。
（ハ）応急トイレではあるが、防災弱者には安心して使用出来る、背あて、ひじ置き、立ちしゃがみの時に、つかまる手摺などの補助機能がほしい。
（ニ）被災地では男子と女子用の尿器双方の備えがあり緊急時の切り替えは容易に出来る仕組みが求められる。
（ホ）冬季野外で使用する避難テントとしては接地面から体温が奪われないよう防寒対策が重要である。
（ヘ）津波や洪水予測地帯では避難民の逃げ遅れ対策として、このテントに救命筏としての機能も備えたい。
（ト）排泄関連の用品の備えもテントの構造の一角に確保して組み立て完了と同時に一式揃っていて有事の場合には迷わず即座に使用できることが望ましい。
（チ）有事には単位テント同士の組み合わせも可能な構造にして、被災地での応用性も高めておく必要がある。
本発明は以上の問題点を解決するものである。
【課題を解決するための手段】
【０００５】  二本の縦桟の両端に円筒形のほぞ孔を設け、該、縦桟の間に複数の横桟を設けて固定し、縦方向に長い矩形の枠体を形成する、
この枠体を長辺が接するように三枚並べ、この枠体の第一面と第二面の表側上下二箇所を複数の蝶番で連結し、第二面と第三面は複数のめがね自在蝶番で連結し、裏面を防水性のあるテント地で覆い、一つの屏風状連結体を形成する。
組立てはこの該、連結体の蝶番部を折り上げ、内角略６０度に保つよう、枠体の先端にある連結口に、かすがい梁を嵌めこんで固定し、Ｖ型状の折れ壁を形成し、第三面は折れ壁の開口部を塞ぐよう、ドアーとして用い、両端をテント地で覆い、三角形の筒状の個室を形成する。
以上か解決の手段となる基本的構造である。
（イ）横に寝かせて使用する場合ドアーは横になり開閉は上下方向になるが、閉じて使用する場合は、横の三角の開口部のどちらか一方を出入り口にする。
（ロ）テントと便器との一体化は、個室を立てドアーを開けた、その奥の三角な面にＶ状に横桟に着脱式便座を片止め取り付けで収納して置き、テントの組立てが終えれば即座に便座が備わる。
（ハ）弱者対策、便座の奥の縦枠二本が背宛となり、両翼のＶ状の横桟が補助の手摺として機能する。
（ニ）男子用の尿器に切り替え、片方の便座の着脱部を外し三角コーナーに下部にホースを設けた、深いじょうご型の尿受け袋を、横桟に吊り下げて、接続のホースでテントの外部へ導き、ポリタンクかあるいは下水のマンホールに流す、設置場所が土壌の場合は、地面を掘って地下浸透などがある。
（ホ）寒冷地で横に寝かせて避難テントとして使用する場合、接地する面には横桟の間に断熱、保温材を嵌めて置き、その上にダンボールなどを敷いて床面を確保する。
（ヘ）洪水や津波の予想地域では、枠の間全面に保温材を装填したものにして折りたたみ、充分な防水対策を施した上、強固な結束を行い、結束ひもの交る場所には環状の取っ手を設けるなどして救命筏としての機能を確保する。
（ト）排泄用品の確保、三角の壁面の横桟の間に充填した断熱材の一部を切抜き、その空間に、し尿回収袋、固化剤、トイレットペイパー、消臭、消毒剤などの必需品を取り揃えた箱を収納し、ゴムバンドで落下防止の対策を施す。
（チ）単位テント同士の合併は、互いのドアーの旋回半径を外側に向けて広げ、あるいわ立て、互いのドアーの先端部分の接するところで、結合し床面積や組立て高さの拡大し利用性を高める。
【発明の効果】
【０００６】本発明により、被災地では備蓄テントが非常トイレのみならず、避難生活のテントとしての活用が可能になり、寒冷地では寒さを凌ぐことが出来る、
立てて便所に使用する場合にあってはテントの組立てと同時に便座が形成されスグに、し尿回収袋を置いて用がたせる、又男子用と女子用の尿器の切り替えが容易になり、屈む場合には手すり肘掛、背宛があり、被災地では便利この上なしである。津波や洪水予測地帯では救命筏になり、叉、負傷者を運ぶ担架になるなど活用範囲が広く、同梱で排泄用品が一式取り揃えてあるので帰宅難民沿道救援対策にも抜群の効果か期待出来る、被災現場の安全管理上、単位テント同士の結合が可能になったため、ドアーの旋回による広がりスペースの活用で、テントの床面積や組立て高さが二倍に出来る、叉連結しだいで、様々な形の設営が可能になり、防犯や安全確保、管理の点からも効果が期待出来る。
【図面の簡単な説明】
【０００７】
【図１】  はしご状枠体の斜視図
【図２】  屏風状連結体の斜視図
【図３】  縦置きの三角筒状テントの斜視図
【図４】  横置きの三角筒状テントの斜視図
【図５】  二棟合併で容積倍増の斜視図
【図６】  トイレ使用の斜視図
【図７】  男子尿器取り付けの斜視図
【図８】  梱包体の筏使用の斜視図
【発明を実施するための形態】
【０００８】以下、本発明の実施の形態を説明する。
（イ）梯子状の枠体造り、２メートル程度の縦桟（１）を２本設け、それぞれに横桟受けのフリー継ぎ手（２）を三個通し、該、パイプ（１）の先端に凹のほぞ孔（３）になるようにＴ字継ぎ手（４）を設ける。
（ロ）１メートル程度の横桟（５）５本を等間隔に配置し、縦桟のジョイントに嵌め込み、組み付け孔（６）を明けて、タップねじ（７）で接合部を固定、はしご状の枠体（８）を作る。
（ハ）屏風状連結体造り、該、はしご状の枠体（８）の長辺を接するように三枚並べ、第一面と第二面を合わせ、上下のＴ字継ぎ手部のところ、二箇所を蝶番（９）で、連結固定する。
（ニ）枠体（８）の第二面と第三面は、めがね自在蝶番（１０）で直管部を上下２箇所でつなぎ、該、自在蝶番の上下を横ずれ防止の固定環（１１）で連結する。
（ホ）連携した、枠三枚の裏面を外装テント地（１２）で覆いパッカー（１３）で枠体（８）に止め、屏風状の連結体（１４）が完成する。
（ヘ）三角の個室造り、該、連結体（１４）の蝶番部を内角略６０度（１５）に折、該、屏風状平板（１４）の第一面（１６）と第二面（１７）を、かすがい梁（１９）を嵌め込みＶ状壁を形成し、第三面（１８）をドアーとして三角の筒状の個室（２０）が形成される。
（ト）個室の両端の三角開口部（２１）はテント地で覆う、一方は三角の帽子、もう一方はファスナー止とする。
本発明は以上のような構造である。
本発明を使用するときは。
（イ）立てて使用するときは、三角の角を風上になるように据え、三角筒の上部の角（２２）からロープ（２３）を３本張リ、地面に打ち込んだアンカー（２４）にしっかり固定して、強風でも転倒しないように設置する。
横に寝かせて使用する場合もアンカー作業は同様とする。
（ロ）テントと便器の一体化について、便座は容器式ではなく、便袋を使用することになるので、テントの組み立ての時に、着脱便座（２５）を横桟（５）に嵌め込みます、該、便座（２５）には便袋ガイドネット（２６）を設ける、使う時には必ず便袋（２６）を敷くことと、固化剤（２７）を小分け袋の口を切って、固化剤（２７）を入れることそして、用済み後は各自便袋を取り上げて、結束（２８）して汚物容器（２９）に収めることを励行する。
（ハ）背宛、手すりは個室の中に既にあります、三角の隅の縦枠二本が背宛（３９）手摺（３８）は両翼の横桟が機能します。
（ニ）男子用尿器の切り替えは、着脱便座（２５）を外し、男子用折りたたみ尿器（２６）を横桟に架け、尿器底部の接続ホース（２７）をテントの外に導きポリタンク（２８）もしくは下水のマンホール（２９）に導く。
（ホ）床の保温対策は、屏風体第三面に面（１７）の横桟の間に発砲チロールなどの保温板（３０）を嵌め込みその上にダンボール（３１）を敷いて体温の低下を防ぐ。
（ヘ）救命筏対策について、津波や洪水の危険地域ではこの単位テントの横桟全体に発砲スチロール板（３０）を嵌め込み、外週が枠体に守られた強固な浮体にして、更に防水袋（３１）に入れ、がっちりと結束ひも（３２）で縄掛けし、結束ひもの交わるところには、環状取手（３３）を多数取り付けて、両手でしっかりと、身の安全を確保出来るように備えた救命筏（３４）、が完成する。
（ト）排泄用品の同時梱包、単位テントのドワー部の内側、便座にかけて目の高さの横桟の左半分の発泡材をくりぬき、便袋（２６）、固化剤（２７）トイレットペーパー（２８）などを納める。
（チ）単位テントの結合、横に二棟並べて棟の高さと内容積を二つ分の倍にする方法、横に二つのドアー面を向き合わせておく、次に双方のドアーを天上方向に拝むように持ち上げて、双方のドアーの先端を棟金具（２９）で固定する、この時二棟のベースはしっかり地面に固定されていることが大切です。
縦に二つ繋げて隣接する場合、先ず隣同士の本体を棟金具（２９）で固定、次に双方のドアーを外に押し出して、互いのドアーの先端ガ接する範囲で固定し最大の床面積を確保し、拡張部を補充テント（３０）テントで覆い、拡張テント（３２）が完成する。
【符号の説明】
【０００９】１縦桟、  ２フリー継ぎ手、  ３ほぞ孔、  ４Ｔ字継ぎ手、  ５横桟、  ６組み付け孔、  ７タップねじ、  ８梯子状の枠体、  ９蝶番、  １０メガネ自在蝶番、  １１固定環、  １２外装テント、  １３パッカー、  １４屏風状連結体、  １５内角６０度  １６第一面、  １７第二面、  １８第三面、  １９かすがい梁、  ２０筒状の個室、  ２１三角の開口部、  ２２テントの上部、  ２３ロープ、  ２４アンカー、  ２５着脱便座、  ２６便袋ガイドネット、  ２７ホース、  ２８ポリタンク、  ２９マンホール、  ３０保温材、  ３１防水包装、  ３２結束ひも、  ３３環状の取手、  ３４救命筏  ３５ドアー、  ３６ボード、  ３７排泄用品収納箱、  ３８手摺リ    ３９背あて、
【図１】
2015010465.tif 000003
【図２】
2015010465.tif 000004
【図３】
2015010465.tif 000005
【図４】
2015010465.tif 000006
【図５】
2015010465.tif 000007
【図６】
2015010465.tif 000008
【図７】
2015010465.tif 000009
【図８】
2015010465.tif 000010